(57)【要約】      （修正有）【課題】キッチン用具用スタンドを複数のバックガード上面のタイプに確実に、安定して取り付けることができるキッチン用具用スタンドの保持部材とキッチン用具用スタンドを提供する。【解決手段】シンク周りに取り付けられたキッチン用具用スタンドの保持部材２であって、保持部材２の本体を備える。保持部材２の本体は、キッチン用具用スタンドを構成する線材の端部を嵌め込むための複数の凹部１０と、ワークトップのバックガード垂直面に載置されて前記キッチン用具用スタンドを支持する複数の掛止部１１とを有していることを特徴とするキッチン用具用スタンドの保持部材。【選択図】図３
2019196652.tif 000002
【特許請求の範囲】
【請求項１】
シンク周りに取り付けられたキッチン用具用スタンドの保持部材であって、
保持部材本体を備え、
該保持部材本体は、前記キッチン用具用スタンドを構成する線材の端部を嵌め込むための複数の凹部と、
ワークトップのバックガードに載置されて前記キッチン用具用スタンドを支持する複数の掛止部と、を有していること
を特徴とするキッチン用具用スタンドの保持部材。
【請求項２】
前記複数の凹部は、複数種類の前記バックガードの高さに応じて前記保持部材本体の側面の違う高さにそれぞれ形成されていること
を特徴とする請求項１記載のキッチン用具用スタンドの保持部材。
【請求項３】
前記複数の掛止部は、複数種類の、シンク端から前記バックガードまでの奥行長に応じて前記保持部材本体の下方の曲面部が、一方の側面に形成されている曲面部の水平長と、他方の側面に形成されている曲面部の水平長とが、それぞれ異なった長さに形成されていること
を特徴とする請求項１または２記載のキッチン用スタンド保持部材。
【請求項４】
前記複数の掛止部は、複数種類のバックガード垂直面及びバックガード上面に応じてそれぞれ曲率が異なっていること
を特徴とす記請求項１〜３の何れか１項記載のキッチン用具用スタンドの保持部材。
【請求項５】
シンク周りに取り付けられるキッチン用具用スタンドであって、
互いに交差する線材からなるスタンド本体と、
該スタンド本体の端部に着脱可能に装着される保持部材と、を備え、
前記保持部材の側面には、前記スタンド本体の線材の端部を嵌め込む複数の凹部が、複数種類のワークトップのバックガードの高さに応じて異なる高さに穿設され、
前記保持部材の底面には、前記バックガードに載置されて前記スタンド本体を支持する掛止部が、複数種類の前記バックガード垂直面、及びバックガード上面に応じて曲率が異なって複数設けられていること
を特徴とするキッチン用具用スタンド。
【発明の詳細な説明】
【技術分野】
【０００１】
本発明は、キッチン用具用スタンドの保持部材及びキッチン用具用スタンドに関する。
【背景技術】
【０００２】
キッチン流し台のシンクには洗剤ポケット等の小物入れ、まな板立て等のスタンドが着脱可能に取り付けられるが、このまな板立てスタンドの取り付け構造として例えば特許文献１に提案がなされている。
【０００３】
即ち、特許文献１には、シンクに取り付けられた洗剤ポケット収納ボックスとは別体にまな板立て（キッチン用具用スタンド）を、洗剤ポケットに取り付ける構造が開示されている。特許文献１に開示のまな板立ては、一端が自由端を成す平行な２本の線材に設けられ、その線材の互いに離間する方向の弾性復元力によって、洗剤ポケットに着脱可能に嵌合され、シンクのフランジ部に保持部材で載置されることを特徴としている。
【０００４】
しかしながら、特許文献１に提案されているまな板立ての保持部材の取り付け構造は、シンクのフランジ部に取り付けられているのは１種類の汎用的な構造を成す保持部材であり、複数種類のワークトップにおけるバックガードの位置や高さ等の形状に合わせて安定して固定されるような構成になっていない。
【０００５】
また、商品のバリエーションに対応すべく、複数種類のワークトップにおけるバックガードの位置や高さ等に合わせて、複数種類の保持部材を個々に揃えた方が適切な設置に対応できるが、他方、工場の製造ラインを各保持部材の形状用としたり、複数種類の保持部材を各ワークトップにおけるバックガードの位置や高さに対応させて品番管理する必要があり、保持部材の部品製造の生産効率あるいは部品管理の業務運用を低下させる可能性があった。
【先行技術文献】
【特許文献】
【０００６】
【特許文献１】特開２００８−８０６２号公報
【発明の概要】
【発明が解決しようとする課題】
【０００７】
そこで、本発明は、前述した問題に鑑みて案出されたものであり、その目的とするところは、複数種類のワークトップにおけるバックガードの位置や高さに対して１つの保持部材で対応できるキッチン用具用スタンドの保持部材とキッチン用具用スタンドを提供することにある。
【課題を解決するための手段】
【０００８】
請求項１記載の発明は、シンク周りに取り付けられたキッチン用具用スタンドの保持部材であって、保持部材本体を備え、該保持部材本体は、キッチン用具用スタンドを構成する線材の端部を嵌め込むための複数の凹部と、ワークトップのバックガードに載置されてキッチン用具用スタンドを支持する複数の掛止部と、を有していることを特徴とするキッチン用具用スタンドの保持部材であることを特徴とする。
【０００９】
請求項２記載の発明は、請求項１記載の発明において、複数の凹部は、複数種類のバックガードの高さ応じて保持部材本体の側面の違う高さにそれぞれ形成されていることを特徴とする。
【００１０】
請求項３記載の発明は、請求項1または２記載の発明において、前記複数の掛止部は、複数種類の、シンク端から前記バックガードまでの奥行長に応じて前記保持部材本体の下方の曲面部が、一方の側面に形成されている曲面部の水平長と、他方の側面に形成されている曲面部の水平長とが、それぞれ異なった長さに形成されていることを特徴とする。
【００１１】
請求項４記載の発明は、請求項１〜３の何れか１項記載の発明において、複数の掛止部は、複数種類のバックガードに応じてそれぞれ曲率が異なっていることを特徴とする。
【００１２】
請求項５記載の発明は、シンク周りに取り付けられるキッチン用具用スタンドであって、互いに交差する線材からなるスタンド本体と、該スタンド本体の端部に着脱可能に装着される保持部材と、を備え、保持部材の側面には、スタンド本体の線材の端部を嵌め込む複数の凹部が、複数種類のワークトップのバックガードの高さに応じて異なる高さに穿設され、保持部材の底面には、バックガードに載置されてスタンド本体を支持する掛止部が、複数種類の前記バックガードに応じて曲率が異なって複数設けられていることを特徴とする。
【発明の効果】
【００１３】
請求項１〜４記載の発明によれば、複数種類のキッチン用具用スタンドのワークトップにおけるバックガードの位置や高さのタイプに応じた凹部を選択でき、キッチン用具用スタンドから延長される線材の端部を嵌め込むことができる。このため、複数種類のワークトップにおけるバックガードの位置や高さのタイプのキッチン用具用スタンドの線材端部の形状、シンクからの奥行きの長さに対応でき、キッチン用具用スタンドを線材の端部を確実に支持でき、キッチン用具用スタンドを安定させることが可能となる。
【００１４】
さらに、ワークトップのバックガードの垂直面と上面の取合いに載置することができるため、複数種類のワークトップにおけるバックガードの位置や高さ及びバックガードの垂直面と上面の取合いの形状に対応でき、キッチン用具用スタンドを安定させることが可能となる。
【００１５】
請求項２〜４記載の発明によれば、キッチン用具用スタンドと複数種類のワークトップにおけるバックガードの位置や高さ及びバックガードの垂直面と上面との取合いの形状に応じて、適した凹部と掛止部の組み合わせを選択することができる。このため、複数のワークトップにおけるバックガードの位置や高さ及びバックガードの垂直面と上面との取合いの形状に対応できる。キッチン用具用スタンドを線材の端部を確実に支持でき、複数の凹部と掛止部の組み合わせにより、保持部材の向きを変えるだけで簡単に取り付けることができる。
【００１６】
請求項５記載の発明によれば、キッチン用具用スタンドの互いに交差する線材の一部の端部を有し、その端部に保持部材が着脱可能に装着することができる。このため、保持部材を容易に嵌め込んだり、凹部の高さや向きを変えたりすることが可能となる。さらに、保持部材の底面には複数種類のワークトップにおけるバックガードの位置や高さバックガードの垂直面と水平面の取合いの形状に応じて湾曲部の曲率が異なった掛止部を選択できる。このため、複数種類のワークトップのタイプであってもキッチン用具用スタンド及びバックガード垂直面とバックガード上面との取合いに安定して載置することで可能となる。
【図面の簡単な説明】
【００１７】
【図１】本発明を適用したキッチン用具用スタンド及び保持部材の斜視図である。
【図２】図２（ａ）は、本発明を適用したキッチン用具用スタンドの保持部材及びキッチン用具用スタンドの平面図であり、図２（ｂ）は、本発明を適用したキッチン用具用スタンドの保持部材及びキッチン用具用スタンドの正面図であり、図２（ｃ）は、本発明を適用したキッチン用具用スタンドの保持部材及びキッチン用具用スタンドの右側面図である。
【図３】図３（ａ）は、本発明を適用したキッチン用具用スタンドの保持部材の正面図であり、図３（ｂ）は、本発明を適用したキッチン用具用スタンドの保持部材の右側面図であり、図３（ｃ）は、本発明を適用したキッチン用具用スタンドの保持部材の背面図である。
【図４】本発明を適用した一例（第１用途形態）を示す模式右側面図である。
【図５】本発明を適用した一例（第２用途形態）を示す模式右側面図である。
【図６】本発明を適用した一例（第３用途形態）を示す模式右側面図である。
【発明を実施するための形態】
【００１８】
以下、本発明の実施形態に係るキッチン用具用スタンドの保持部材及びキッチン用具用スタンドについて、図面を参照しながら詳細に説明する。なお、各図における符号については、同様の構成をもった構造には、特別な事情のない限り、同じ符号を用いるものとする。
【００１９】
先ず、図１〜図３を用いて、本発明の用途形態に係るキッチン用具用スタンドについて説明する。図１は、本発明を適用したキッチン用具用スタンド及び保持部材の斜視図である。図２（ａ）〜図２（ｃ）は、本発明を適用したキッチン用具用スタンドの保持部材及びキッチン用具用スタンドの平面図、正面図、右側面図である。図３（ａ）〜図３（ｃ）は、本発明を適用した保持部材の正面図、右側面図、背面図である。
【００２０】
図１には、キッチン用具用スタンド１、保持部材２及び洗剤ポケット（収納ボックス）３０で構成される。キッチン用具用スタンド１のスタンド本体は、保持部材２とフック７で固定される。保持部材２はワークトップ２１のバックガード垂直面２２のバックガード上面２３の取り合いに載置される。洗剤ポケット（収納ボックス）３０は、シンク２０に備わるピン３１で嵌合され、スタンド本体のシンク線材の端部のフック７により、ワークトップ２１の洗剤ポケット（収納ボックス）３０を構成する線材の一部と嵌合される。
【００２１】
（スタンド本体）
まず、キッチン用具用スタンド１のスタンド本体について、図２（ａ）〜図２（ｃ）を用いて説明する。スタンド本体は、平行線材３が正面左右に連続した線材で構成され、垂直線材４が正面上下に連続した線材で構成される。この平行線材３及び垂直線材４とで構成された枠同士が離間されて設けられ、その枠同士の間にまな板が設置される。平行線材３は高さが各々の平行線材３で異なっており、これにより、まな板の置きやすさ、取り出しやすさ、倒れにくさ、及びスタンド本体の強度を出す構成としている。
【００２２】
スタンド本体に備わる垂直線材４は、シンク線材５と延長線材６へと繋がる。シンク線材５の端部は、フック７が装着され、このフック７により、洗剤ポケット（収納ボックス）３０と嵌合される。延長線材６の端部は、保持部材２が複数の凹部を選択可能なように、取り外し可能な状態で嵌め込みされる。
【００２３】
（保持部の穿設部）
次に、保持部材２の保持部材本体には、穿設部１０と掛止部１１で構成される。保持部材２の穿設部１０について、図３（ａ）〜図３（ｃ）を用いて説明する。保持部材２は、穿設部１０及び掛止部１１を備える。穿設部１０は、正面に凹部１０ａを設け、背面に凹部１０ｂを備え、内部に向かい穴が穿設される。凹部１０ａは、２つの円が正面上下に重なり合うような形状をしている。これにより、高さの異なる延長線材６の端部を嵌め込むことが可能となる。さらに凹部１０ａの形状を円ではなく、他の形状（例えば矩形、楕円など）にすることも可能である。背面の凹部１０ｂも凹部１０ａと同様、複数の凹部を穿設しても良い。
【００２４】
（保持部の掛止部）
同様に、保持部材２の掛止部１１は、保持部材２の下方にあり、水平長の平行面と下方の垂直面の２面で構成される。各々の交わり部分には曲率ｒ１，ｒ２からなる曲面部が各々設けられる。曲面部の水平長の平行面と曲面部の下方の垂直面の長さは、シンク２０の端部またはシンク線材５からの奥行きの長さに応じて設定される。曲面部の各曲率は、複数種類のバックガード垂直面２２の高さ、または複数の奥行き長、及びバックガード上面２３の取合いの形状に応じて設定される。
【００２５】
さらに、掛止部１１の正面に掛止部１１ａ、背面に掛止部１１ｂを各々に設けられる。この掛止部１１ａ、及び掛止部１１ｂは、複数種類のバックガード上面２３のタイプの取合いの形状に応じて複数から選択する。選択する際は、シンク２０またはシンク線材５からの奥行きの長さ、ワークトップ２１の高さ、及びバックガード垂直面２２の上面の取合いの形状を考慮し、保持部材２の掛止部１１ａまたは及び掛止部１１ｂを選択する。
【００２６】
次に、図４、図５、図６を用いて、本発明の用途形態に係るキッチン用具用スタンドの複数種類のバックガード上面２３のタイプ（第１用途形態〜第３用途形態）の取り付けについて説明する。
【００２７】
図４は、本発明の第１用途形態に係るキッチン用具用スタンドの保持部材２を第１のバックガード上面２３への設置を示す右側面図である。また、図５は、本発明の第２用途形態に係るキッチン用具用スタンドの保持部材２を第２のバックガード上面２３への設置を示す右側面図である。そして図６は、本発明の第３用途形態に係るキッチン用具用スタンドの保持部材２を第３のバックガード上面２３への設置を示す右側面図である。
【００２８】
［第１用途形態］
本発明の第１用途形態に係る第１のバックガード上面２３は、図４に示すように、シンク２０にワークトップ２１、バックガード垂直面２２が一体構造で構成されている。キッチン用具用スタンド１はシンク線材５でシンク２０に嵌合される。シンク線材５からバックガード垂直面２２までの奥行きの長さは奥行きｄ１、ワークトップから延長線材６の中心（凹部１０ｂの中心）までの高さはｈ１、またバックガード上面２３の取合いの曲率はｒ１である。
【００２９】
第１のバックガード上面２３は、ワークトップ２１と延長線材６の高さｈ１が高い。そして、シンク線材５からバックガード垂直面２２まで奥行きの長さ奥行きｄ１の距離が短かく、バックガード上面２３の取合いの曲率が大きいｒ１となる。
【００３０】
このことから、キッチン用具用スタンド１の延長線材６の端部は、保持部材２の高い位置にある凹部１０ｂに嵌め合わされる。掛止部１１は、掛止部１１の水平方向の長さが長い掛止部１１ａ及び曲面部の曲率の大きいｒ１が選択され、バックガード上面２３の取合いに載置される。
【００３１】
［第２用途形態］
本発明の第２用途形態に係る第２のバックガード上面２３は、図５に示すように、シンク２０にワークトップ２１、バックガード垂直面２２が一体構造で構成されている。キッチン用具用スタンド１はシンク線材５でシンク２０に嵌合される。シンク線材５からバックガード垂直面２２までの奥行きの長さは奥行きｄ２、ワークトップから延長線材６の中心（凹部１０ａの中心）までの高さはｈ２、またバックガード上面２３の取合いの曲率はｒ２である。
【００３２】
第２のバックガード上面２３は、ワークトップ２１と延長線材６の高さｈ２が高い。そして、シンク線材５からバックガード垂直面２２まで奥行きの長さ奥行きｄ２の距離が長く、バックガード上面２３の取合いの曲率が小さいｒ２となる。
【００３３】
このことから、キッチン用具用スタンド１の延長線材６の端部は、保持部材２の高い位置にある凹部１０ａの上側に嵌め合わされる。掛止部１１は、掛止部１１の水平方向の長さが短い掛止部１１ｂ及び曲面部の曲率の小さいｒ２が選択され、バックガード上面２３の取合いに載置される。
【００３４】
第２用途形態と第１用途形態の保持部材２の取り付けと比較すると、高さｈ１とｈ２は同じであるが、奥行きの長さ奥行きｄ１と奥行きｄ２が異なる。そのため、第２用途形態では、保持部材２の穿設部１０は凹部１０ａで掛止部１１は掛止部１１ｂとなっており、第１用途形態の保持部材２の取り付けとは反対向きで取り付けられる。
【００３５】
［第３用途形態］
本発明の第３用途形態に係る第３のバックガード上面２３は、図６に示すように、シンク２０、ワークトップ２１、及びバックガード垂直面２２が各々別の部材で構成されている。キッチン用具用スタンド１はシンク線材５でシンク２０に嵌合される。シンク線材５からバックガード垂直面２２までの奥行きの長さは奥行きｄ３、ワークトップから延長線材６の中心（凹部１０ａの中心）までの高さはｈ３、またバックガード上面２３の取合いの曲率はｒ２である。
【００３６】
第３のバックガード上面２３は、ワークトップ２１と延長線材６の高さｈ３が低い。そして、シンク線材５からバックガード垂直面２２まで奥行きの長さ奥行きｄ３の距離は長く、バックガード上面２３の取合いの曲率が小さいｒ２である。
【００３７】
このことから、キッチン用具用スタンド１の延長線材６の端部は、保持部材２の低い位置にある凹部１０ａの下側に嵌め合わされる。掛止部１１は、掛止部１１の水平方向の長さが短い掛止部１１ｂ及び曲面部の曲率の小さいｒ２が選択され、バックガード上面２３の取合いに載置される。
【００３８】
第３用途形態と第１用途形態の保持部材２の取り付けと比較すると、高さｈ１とｈ２は異なるが、奥行きの長さ奥行きｄ１と奥行きｄ２は同じである。そのため、第３用途形態では、保持部材２の穿設部１０は凹部１０ａで掛止部１１は掛止部１１ｂであり、第１用途形態の保持部材２の取り付けとは反対に取り付けられている。
【００３９】
さらに、第３用途形態と第２用途形態の保持部材２の取り付けと比較すると、第３用途形態では、保持部材２の穿設部１０は凹部１０ａ、掛止部１１は掛止部１１ｂであり、第２用途形態の保持部材２の取り付けは同じ向きで取り付けられている。しかし、高さｈ３が高さｈ２よりも低いため、凹部１０ａの凹部が低い位置の凹部に嵌め込まれている。
【００４０】
以上のように、本発明によれば、シンク２０周りに取り付けられたキッチン用具用スタンド１の保持部材２は、複数の凹部１０ａ〜凹部１０ｂ及び掛止部１１ａ〜掛止部１１ｂを有し、複数のキッチン用具用スタンド１のバックガード上面２３のタイプに応じて、適宜に選択することが可能となる。
【００４１】
これにより、キッチン用具用スタンド１の延長線材６の端部を凹部に嵌め込むことができ、複数のバックガード上面２３のタイプのキッチン用具用スタンド１及びバックガード垂直面２２のバックガード上面２３の取合いの形状に対応でき、確実に支持でき、キッチン用具用スタンド１を安定させることが可能となる。
【００４２】
なお、本発明は、キッチン用具用スタンド１以外の他の任意のシンク用スタンド、例えばふきん掛け、レードル類掛け、包丁立て等の取り付け構造に対しても同様に適用可能であることは勿論である。
【００４３】
以上、本実施形態に係るキッチン用具用スタンド１の保持部材２及びキッチン用具用スタンド１について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【符号の説明】
【００４４】
１：キッチン用具用スタンド
２：保持部材
３：平行線材
４：垂直線材
５：シンク線材
６：延長線材
７：フック
１０：穿設部
１０ａ，１０ｂ：凹部
１１，１１ａ，１１ｂ：掛止部
２０：シンク
２１：ワークトップ
２２：バックガード垂直面
２３：バックガード上面
３０：洗剤ポケット（収納ボックス）
３１：ピン
ｈ１，ｈ２，ｈ３：高さ
ｄ１，ｄ２，ｄ３：奥行き
ｒ１，ｒ２：曲率
【図１】
2019196652.tif 000003
【図２】
2019196652.tif 000004
【図３】
2019196652.tif 000005
【図４】
2019196652.tif 000006
【図５】
2019196652.tif 000007
【図６】
2019196652.tif 000008